(57)【要約】【課題】本発明は、プラズマディスプレイ装置に備えられるパネルにおいて、ＩＴＯからなる透明電極を除去してパネルの製造コストを低減させて、ディスプレイ映像の点滅及び輝点発生を改善できるプラズマディスプレイ装置を提供するためのものである。【解決手段】本発明は、プラズマディスプレイ（Plasma Display）装置に関し、当該プラズマディスプレイ装置は、上部基板２０１と、上部基板２０１上に形成される複数の第１電極２０２及び第２電極２０３と、上部基板２０１と対向して配置される下部基板２１１と、下部基板２１１上に形成される複数の第３電極２１３を含んで構成され、複数の第１、２電極２０１、２０２のうち、少なくとも１つは単一層（one layer）で形成され、複数の第１、２電極２０１、２０２のうち、少なくとも１つの厚みは３乃至７μｍであることを特徴とする。  【選択図】図２Ａ
2007324116.tif 000002
【特許請求の範囲】
【請求項１】
上部基板と、前記上部基板上に形成される複数の第１電極及び複数の第２電極と、前記上部基板と対向して配置される下部基板と、前記下部基板上に形成される複数の第３電極とを含んで構成されるプラズマディスプレイ装置であって、
前記複数の第１電極と前記複数の第２電極のうち少なくとも一方は単一層（one layer）で形成され、前記複数の第１電極と前記複数の第２電極のうち少なくとも一方の厚みは３乃至７μｍであることを特徴とするプラズマディスプレイ装置。
【請求項２】
前記複数の第１電極と前記複数の第２電極のうち少なくとも一方は、
前記複数の第３電極と交差する方向に形成されたライン部と、
前記ライン部から突出した突出部と、
を含むことを特徴とする請求項１記載のプラズマディスプレイ装置。
【請求項３】
前記複数の第１電極と前記複数の第２電極のうち、少なくとも一方の抵抗は、５０乃至６５Ωであることを特徴とする請求項１記載のプラズマディスプレイ装置。
【請求項４】
前記複数の第１電極と前記複数の第２電極のうち、少なくとも一方の抵抗は、４０乃至９０Ωであることを特徴とする請求項１記載のプラズマディスプレイ装置。
【請求項５】
前記複数の第１電極及び前記複数の第２電極の抵抗は、
パネルの有効表示領域内に位置する前記第１電極及び前記第２電極の両端部の間の抵抗であることを特徴とする請求項１記載のプラズマディスプレイ装置。
【請求項６】
前記ライン部は２つ以上であり、
前記２つ以上のライン部のうち、互いに隣り合う２つのライン部間の間隔は８０乃至１２０μｍであることを特徴とする請求項２記載のプラズマディスプレイ装置。
【請求項７】
前記突出部は、少なくとも１つの閉ループを形成することを特徴とする請求項２記載のプラズマディスプレイ装置。
【請求項８】
前記複数の第１電極及び前記複数の第２電極を覆う上部誘電体層を更に含み、
前記複数の第１電極及び前記複数の第２電極のうち少なくとも一方は、前記上部誘電体層より色が暗いことを特徴とする請求項１記載のプラズマディスプレイ装置。
【請求項９】
前記下部基板上には、
誘電体層と、
放電セルを区画する隔壁と、
蛍光体層と、
が更に形成されていることを特徴とする請求項１記載のプラズマディスプレイ装置。
【請求項１０】
上部基板と、前記上部基板上に形成される複数の第１電極及び複数の第２電極と、前記上部基板と対向して配置される下部基板と、前記下部基板上に形成される複数の第３電極とを含んで構成されるプラズマディスプレイ装置であって、
前記複数の第１電極と前記複数の第２電極のうち少なくとも一方は、単一層（one layer）で形成され、前記複数の第３電極と交差する方向に形成されたライン部と、
前記ライン部から突出した突出部を含み、
前記突出部の幅は３０乃至７０μｍであることを特徴とするプラズマディスプレイ装置。
【請求項１１】
前記突出部の幅は３５乃至４５μｍであることを特徴とする請求項１０記載のプラズマディスプレイ装置。
【請求項１２】
前記突出部は２つ以上であることを特徴とする請求項１０記載のプラズマディスプレイ装置。
【請求項１３】
前記突出部は、少なくとも１つの閉ループを形成することを特徴とする請求項１０記載のプラズマディスプレイ装置。
【請求項１４】
上部基板と、前記上部基板上に形成される複数の第１電極及び複数の第２電極と、前記上部基板と対向して配置される下部基板と、前記下部基板上に形成される複数の第３電極とを含んで構成されるプラズマディスプレイ装置であって、
前記複数の第１電極と前記複数の第２電極のうち少なくとも一方は単一層（one layer）で形成され、前記複数の第１電極と前記複数の第２電極の両方は、前記複数の第３電極と交差する方向に形成されたライン部と、
前記ライン部から突出した突出部と、をそれぞれ含み、
前記第１電極の突出部と前記第２電極の突出部との間の間隔は１５乃至１６５μｍであることを特徴とするプラズマディスプレイ装置。
【請求項１５】
前記第１電極の突出部と前記第２電極の突出部との間の間隔は６０乃至１２０μｍであることを特徴とする請求項１４記載のプラズマディスプレイ装置。
【請求項１６】
前記複数の第１電極及び前記複数の２電極を覆う上部誘電体層を更に含み、
前記複数の第１電極と前記複数の第２電極のうち少なくとも一方は、前記上部誘電体層より色が暗いことを特徴とする請求項１４載のプラズマディスプレイ装置。
【請求項１７】
前記突出部は、少なくとも１つの閉ループを形成することを特徴とする請求項１４記載のプラズマディスプレイ装置。
【請求項１８】
上部基板と、前記上部基板上に形成される複数の第１電極及び複数の第２電極と、前記上部基板と対向して配置される下部基板と、前記下部基板上に形成される複数の第３電極とを含んで構成されるプラズマディスプレイ装置であって、
前記複数の第１電極と前記複数の第２電極のうち少なくとも一方は、単一層（one layer）で形成され、前記複数の第３電極と交差する方向に形成されたライン部と、
前記ライン部から前記ライン部に隣り合う隔壁方向に突出した突出部を含み、
前記突出部の長さは３０乃至１００μｍであることを特徴とするプラズマディスプレイ装置。
【請求項１９】
前記突出部の長さは、５０乃至１００μｍであることを特徴とする請求項１８記載のプラズマディスプレイ装置。
【請求項２０】
前記突出部と前記隣り合う隔壁間の間隔は７０μｍ以下であることを特徴とする請求項１８記載のプラズマディスプレイ装置。
【発明の詳細な説明】
【技術分野】
【０００１】
本発明は、プラズマディスプレイ（Plasma Display）装置に関し、より詳しくは、プラズマディスプレイ装置に備えられるパネル（Panel）に関する。
【背景技術】
【０００２】
プラズマディスプレイパネルは、上部基板と下部基板との間に形成された隔壁が１つの単位セルをなすものであって、各セル内にはネオン（Ｎｅ）、ヘリウム（Ｈｅ）またはネオン及びヘリウムの混合気体（Ｎｅ＋Ｈｅ）のような主放電気体と少量のキセノンを含有する不活性ガスが充填されている。高周波電圧により放電される際、不活性ガスは真空紫外線（Vacuum Ultraviolet rays）を発生し、隔壁間に形成された蛍光体を発光させて画像が具現される。このようなプラズマディスプレイパネルは軽量薄型の構成が可能であるので、次世代の表示装置として脚光を浴びている。
【０００３】
図１は、一般的なプラズマディスプレイパネルの構造を示す図である。図１に図示されたように、プラズマディスプレイパネルは、画像がディスプレイされる表示面である上部基板１０１の上にスキャン電極１０２及びサステイン電極１０３が対をなして形成された複数の維持電極対が配列された上部パネル１００及び背面をなす下部基板１１１の上に複数の維持電極対と交差するように複数のアドレス電極１１３が配列された下部パネル１１０が一定距離を置いて平行に結合される。
【０００４】
上部パネル１００は透明なＩＴＯ（Indium Tin Oxide）で形成された透明電極１０２ａ、１０３ａとバス電極１０２ｂ、１０３ｂで備えられたスキャン電極１０２及びサステイン電極１０３が対をなして含まれる。スキャン電極１０２及びサステイン電極１０３は上部誘電体層１０４により覆われて、上部誘電体層１０４の上には保護層１０５が形成される。
【０００５】
下部パネル１１０は放電セルを区画するための隔壁１１２が含まれる。また、複数のアドレス電極１１３が隔壁１１２に対し平行に配置される。アドレス電極１１３の上にはＲ（Red）、Ｇ（Green）、Ｂ（Blue）の蛍光体１１４が塗布される。アドレス電極１１３と蛍光体１１４との間には下部誘電体層１１５が形成される。
【０００６】
一方、従来のプラズマディスプレイパネルのスキャン電極１０２またはサステイン電極１０３を構成する透明電極１０２ａ、１０３ａは高価なＩＴＯ（Indium Tin Oxide）からなる。透明電極１０２ａ、１０３ａは、プラズマディスプレイパネルの製造コストを上昇させる原因となっている。したがって、最近は製造コストを減らしながら使用者が視聴するのに充分な視感特性及び駆動特性などを確保することができるプラズマディスプレイパネルを製造することに主眼点を置いている。
【発明の開示】
【発明が解決しようとする課題】
【０００７】
本発明は、前述した従来技術の問題点を解決するために案出したものであって、プラズマディスプレイ装置に備えられるるパネルにおいて、ＩＴＯからなる透明電極を除去してパネルの製造コストを低減させて、ディスプレイ映像の点滅及び輝点の発生を改善できるプラズマディスプレイ装置を提供することを目的とする。
【課題を解決するための手段】
【０００８】
このために、本発明の第１発明によるプラズマディスプレイ装置は、上部基板と、前記上部基板上に形成される複数の第１電極及び複数の第２電極と、前記上部基板と対向して配置される下部基板と、前記下部基板上に形成される第３電極とを含んで構成され、前記複数の第１電極と前記複数の第２電極のうち少なくとも一方は単一層（one layer）で形成され、前記複数の第１電極と前記複数の第２電極のうち少なくとも１つの厚みは３乃至７μｍであることを特徴とする。
【０００９】
前記第１発明によるプラズマディスプレイ装置は、前記複数の第１電極と前記複数の第２電極のうち少なくとも一方が、前記複数の第３電極と交差する方向に形成されたライン部と、前記ライン部から突出した突出部と、を含むことが好ましい。さらに、前記ライン部が２つ以上であり、前記２つ以上のライン部のうち、互いに隣り合う２つのライン部間の間隔が８０乃至１２０μｍであることが好ましく、また、前記突出部が、少なくとも１つの閉ループを形成することが好ましい。
【００１０】
また、前記第１発明によるプラズマディスプレイ装置は、前記複数の第１電極と前記複数の第２電極のうち、少なくとも一方の抵抗が、５０乃至６５Ωであることが好ましい。
また、前記第１発明によるプラズマディスプレイ装置は、前記複数の第１電極と前記複数の第２電極のうち、少なくとも一方の抵抗が、４０乃至９０Ωであることが好ましい。
また、前記第１発明によるプラズマディスプレイ装置は、前記複数の第１電極と前記複数の第２電極の抵抗が、パネルの有効表示領域内に位置する前記第１電極及び前記第２電極の両端部の間の抵抗であることが好ましい。
また、前記第１発明によるプラズマディスプレイ装置は、前記複数の第１電極及び前記複数の第２電極を覆う上部誘電体層を更に含み、前記複数の第１電極と前記複数の第２電極のうち少なくとも一方が、前記上部誘電体層より色が暗いことが好ましい。
また、前記第１発明によるプラズマディスプレイ装置は、前記下部基板上には、誘電体層と、放電セルを区画する隔壁と、蛍光体層と、が更に形成されていることが好ましい。
【００１１】
本発明の第２発明によるプラズマディスプレイ装置は、上部基板と、前記上部基板上に形成される複数の第１電極及び複数の第２電極と、前記上部基板と対向して配置される下部基板と、前記下部基板上に形成される複数の第３電極とを含んで構成され、前記複数の第１電極と前記複数の第２電極のうち少なくとも１つは、単一層（one layer）で形成され、前記複数の第３電極と交差する方向に形成されたライン部と、前記ライン部から突出した突出部とを含み、前記突出部の幅は３０乃至７０μｍであることを特徴とする。
【００１２】
前記第２発明によるプラズマディスプレイ装置は、前記突出部の幅が３５乃至４５μｍであることが好ましい。
また、前記第２発明によるプラズマディスプレイ装置は、前記突出部が２つ以上であることが好ましい。
また、前記第２発明によるプラズマディスプレイ装置は、少なくとも１つの閉ループを形成し、前記ライン部と交差する方向に突出することが好ましい。
【００１３】
前述した技術的課題を解決するための第３発明によるプラズマディスプレイ装置は、上部基板と、前記上部基板上に形成される複数の第１電極及び複数の第２電極と、前記上部基板と対向して配置される下部基板と、前記下部基板上に形成される複数の第３電極とを含んで構成され、前記複数の第１電極と前記複数の第２電極のうち少なくとも１つは、単一層（one layer）で形成され、前記複数の第３電極と交差する方向に形成されたライン部と、前記ライン部から突出した２以上の突出部を含み、前記突出部のうち、隣り合う２突出部間の間隔が３０乃至１００μｍであることを特徴とする。
【００１４】
前記第３発明によるプラズマディスプレイ装置は、前記突出部が、少なくとも１つの閉ループを形成し、前記ライン部と交差する方向に突出することが好ましい。
【００１５】
前述した技術的課題を解決するための第４発明によるプラズマディスプレイ装置は、上部基板と、前記上部基板上に形成される複数の第１電極及び複数の第２電極と、前記上部基板と対向して配置される下部基板と、前記下部基板上に形成される複数の第３電極とを含んで構成され、前記複数の第１電極と前記複数の第２電極の少なくとも一方は単一層（one layer）で形成され、前記複数の第１電極と前記複数の第２電極の両方は、前記複数の第３電極と交差する方向に形成されたライン部と、前記ライン部から突出した突出部とをそれぞれ含み、前記第１電極の突出部と前記第２電極の突出部との間の間隔は１５乃至１６５μｍであることを特徴とする。
【００１６】
前記第４発明によるプラズマディスプレイ装置は、前記第１電極の突出部と前記第２電極の突出部との間の間隔が６０乃至１２０μｍであることが好ましい。
【００１７】
また、前記第４発明によるプラズマディスプレイ装置は、前記複数の第１電極及び前記複数の２電極を覆う上部誘電体層を更に含み、前記複数の第１電極と前記複数の第２電極のうち少なくとも一方が、前記上部誘電体層より色が暗いことが好ましい。
また、前記第４発明によるプラズマディスプレイ装置は、前記突出部が、少なくとも１つの閉ループを形成することが好ましい。
【００１８】
前述した技術的課題を解決するための第５発明によるプラズマディスプレイ装置は、上部基板と、前記上部基板上に形成される複数の第１電極及び複数の第２電極と、前記上部基板と対向して配置される下部基板と、前記下部基板上に形成される複数の第３電極とを含んで構成され、前記複数の第１電極と前記複数の第２電極のうち少なくとも１つは、単一層（one layer）で形成され、前記複数の第３電極と交差する方向に形成されたライン部と、前記ライン部から前記ライン部に隣り合う隔壁方向に突出した突出部とを含み、前記突出部の長さは３０乃至１００μｍであることを特徴とする。
【００１９】
前記第５発明によるプラズマディスプレイ装置は、前記突出部の長さが５０乃至１００μｍであることが好ましい。
【００２０】
また、前記第５発明によるプラズマディスプレイ装置は、前記突出部と前記隣り合う隔壁間の間隔が７０μｍ以下であり、前記突出部は少なくとも１つの閉ループを形成し、前記ライン部と交差する方向に突出することが好ましい。
【発明の効果】
【００２１】
前述したように構成される本発明によるプラズマディスプレイ装置に備えられるパネルによれば、ＩＴＯからなる透明電極を除去してプラズマディスプレイパネルの製造コストを低減させることができ、スキャン電極またはサステイン電極ラインから放電セルの中心方向またはその反対方向に突出する突出電極を形成することによって、放電開始電圧を低減し、放電セル内の放電拡散効率を高めることができる。
【発明を実施するための最良の形態】
【００２２】
以下、添付した図面を参照しつつ本発明に係るプラズマディスプレイ装置に関して詳細に説明する。図２Ａは、本発明に係るプラズマディスプレイ装置に備えられるパネルに関する第１実施例を示す斜視図である。
【００２３】
図２Ａを参照すれば、プラズマディスプレイパネルは、所定の間隔を置いて合着する上部パネル２００と下部パネル２１０を含む。維持電極対２０２、２０３に交差する方向に下部基板２１１上に形成されるアドレス電極２１３及び下部基板２１１上に形成され複数の放電セルを区画する隔壁２１２ａ、２１２ｂを含む。
【００２４】
上部パネル２００は、上部基板２０１上に対をなして形成される維持電極対２０２、２０３を含む。維持電極対２０２、２０３はその機能によってスキャン電極２０２とサステイン電極２０３とに分けられる。維持電極対２０２、２０３は、放電電流を制限し、電極対間を絶縁させる上部誘電体層２０４により覆われて、上部誘電体層２０４の上面には保護膜層２０５が形成され、ガス放電時に発生される荷電粒子のスパッタリングから上部誘電体層２０４を保護し、２次電子の放出効率を高めることになる。
【００２５】
下部パネル２１０は、下部基板２１１上に複数個の放電空間、即ち、放電セルを区画する隔壁２１２ａ、２１２ｂが形成される。また、アドレス電極２１３が維持電極対２０２、２０３に交差する方向に配置され、下部誘電体層２１５と隔壁２１２ａ、２１２ｂの表面にはガス放電時に発生させた紫外線により発光し、可視光が発生する蛍光体２１４が塗布される。
【００２６】
隔壁２１２ａ、２１２ｂにより囲まれた放電セル内には、ネオン（Ｎｅ）、ヘリウム（Ｈｅ）またはネオン及びヘリウムの混合気体（Ｎｅ＋Ｈｅ）などを含む主放電気体と少量のキセノンを含有する不活性ガスが充填されている。放電効率を高めてパネル製造工程を容易にするために、当該ガスの圧力は３５０乃至５００Ｔｏｒｒであり得る。
【００２７】
この際、隔壁２１２ａ、２１２ｂはアドレス電極２１３が並んだ方向に形成された縦隔壁２１２ａと、アドレス電極２１３と交差する方向に形成された横隔壁２１２ｂで構成され、放電セルを物理的に区分し、放電により生成された紫外線と可視光が隣り合う放電セルに漏れることを防止する。
【００２８】
また、本発明の実施例に係るプラズマディスプレイパネルにおいて、維持電極対２０２、２０３は、図１に図示された従来の維持電極対１０２、１０３と異なり、不透明な金属電極だけで構成される。即ち、従来の透明電極材質であるＩＴＯを使用せず、従来のバス電極の材質である銀（Ａｇ）、銅（Ｃｕ）またはクロム（Ｃｒ）等を使用して維持電極対２０２、２０３を形成する。即ち、本発明の実施例に係るプラズマディスプレイパネルの維持電極対２０２、２０３の各々は、従来のＩＴＯ電極を含まず、バス電極１つからなる単一層（one layer）で構成される。
【００２９】
例えば、本発明の実施例に係る維持電極対２０２、２０３の各々は銀で形成されることが好ましくて、銀（Ａｇ）は感光性性質を有することが好ましい。また、本発明の実施例に係る維持電極対２０２、２０３の各々は上部基板２０１に形成される上部誘電体層２０４より色がより暗くて、光の透過度がより低い性質を有することが好ましい。
【００３０】
電極ライン２０２ａ、２０２ｂ、２０３ａ、２０３ｂの厚みは、３乃至７μｍであることが好ましい。電極ライン２０２ａ、２０２ｂ、２０３ａ、２０３ｂが前述のような範囲の厚みで形成される場合、プラズマディスプレイパネルが正常動作できる範囲の抵抗及び必要とする開口率を有することによって、ディスプレイ装置の前面に反射されて出る光が当該電極により塞がれて、映像の輝度が減少することを防止することができる。電極ライン２０２ａ、２０２ｂ、２０３ａ、２０３ｂが前述のような厚みを有することによって、その抵抗は５０乃至６５Ωであることが好ましい。
【００３１】
また、パネルの駆動マージン確保のために、パネルのキャパシタンスを大きく増加させないようにするためには、電極ライン２０２ａ、２０２ｂ、２０３ａ、２０３ｂの抵抗は４０乃至９０Ωであることが好ましい。
【００３２】
電極ライン２０２ａ、２０２ｂ、２０３ａ、２０３ｂの抵抗は、電極ライン２０２ａ、２０２ｂ、２０３ａ、２０３ｂとパネルの駆動回路（図示していない）を連結するパッド部（図示していない）に隣り合う電極の両端部間の抵抗であることが好ましくて、または、パネルの有効表示領域内に位置する電極の両端部間の抵抗であってもよい。
【００３３】
Ｒ（Red）、Ｇ（Green）、Ｂ（Blue）の各々の蛍光体層２１４は、幅（Width）を実質的に同一にすることや、互いに相異にすることができる。Ｒ、Ｇ、Ｂ放電セルの各々での蛍光体層２１４の厚みを互いに相異にする場合には、ＧまたはＢ放電セルでの蛍光体層２１４の厚みをＲ放電セルでの蛍光体層２１４の厚みより大きくすることができる。
【００３４】
図２Ａに図示されたように、１つの放電セル内に維持電極２０２、２０３が各々複数個の電極ラインで形成されることが好ましい。即ち、第１維持電極２０２が２つの電極ライン２０２ａ、２０２ｂで形成され、第２維持電極２０３が放電セルの中心を基準に第１維持電極２０２と対称に配列され、２つの電極ライン２０３ａ、２０３ｂで形成されることが好ましい。第１、２維持電極２０２、２０３は、各々スキャン電極とサステイン電極であることが好ましい。
【００３５】
これは、不透明な維持電極対２０２、２０３を使用することによる開口率と放電拡散効率を考えたものである。即ち、開口率を考慮して狭い幅を有する電極ラインを使用する一方、放電拡散効率を考えて複数個の電極ラインを使用する。この際、電極ラインの個数は開口率と放電拡散効率を同時に考えるようにして決めることが好ましい。
【００３６】
一方、図２Ａには示していないが、各々の電極ライン２０２ａ、２０２ｂ、２０３ａ、２０３ｂは、上部基板２０１と直接接触せず、所定のブラック層上に形成することができる。即ち、上部基板２０１と各々の電極ライン２０２ａ、２０２ｂ、２０３ａ、２０３ｂの間にブラック層が形成され、上部基板２０１と各々の電極ライン２０２ａ、２０２ｂ、２０３ａ、２０３ｂが直接接触することにより発生する可能性のある上部基板２０１の変色現象を改善することができる。
【００３７】
図２Ａに図示された構造は、本発明に係るプラズマパネルの構造に関する一実施例に過ぎないので、本発明は、図２Ａに図示されたプラズマディスプレイパネル構造に限定されない。例えば、外部から発生する外部光を吸収して反射を減らす光遮断機能と上部基板２０１のコントラストを向上させる機能を有するブラックマトリックス（Black Matrix、ＢＭ）を上部基板２０１に形成することができ、このようなブラックマトリックスは分離型及び一体型ＢＭ構造の構造を有することが可能である。
【００３８】
一方、このようなブラックマトリックスを、形成過程において、前述したブラック層と同時に形成し、物理的に連結することもでき、異なる時点で形成し、物理的に連結しないこともできる。また、物理的に連結して形成する場合、ブラックマトリックスとブラック層は同一の材質で形成するが、物理的に分離して形成する場合には異なる材質で形成することができる。
【００３９】
また、図２Ａに図示されたパネルの隔壁構造は、縦隔壁２１２ａと横隔壁２１２ｂにより放電セルが閉鎖構造を有するクローズタイプ（Close Type）を表しているが、縦隔壁のみを含むストライプタイプ（Stripe Type）または縦隔壁上に所定の間隔を置いて突出部が形成されたフィッシュボーン（Fish Bone）などの構造も可能である。
【００４０】
また、本発明の一実施例は、図２Ａに図示された隔壁の構造だけでなく、多様な形状の隔壁の構造も可能である。例えば、縦隔壁２１２ａと横隔壁２１２ｂの高さが異なる差等型隔壁構造、縦隔壁２１２ａまたは横隔壁２１２ｂの中の１つ以上に排気通路として使用可能なチャンネル（Channel）が形成されたチャンネル型隔壁構造、縦隔壁２１２ａまたは横隔壁２１２ｂの中の１つ以上に溝（Hollow）が形成された溝型隔壁構造などが可能である。ここで、差等型隔壁構造の場合には、横隔壁２１２ｂの高さが縦隔壁２１２ａの高さより高いことが好ましくて、チャンネル型隔壁構造や溝型隔壁構造の場合には、横隔壁２１２ｂにチャンネルが形成されたり、溝が形成されることが好ましい。
【００４１】
一方、本発明の一実施例では、Ｒ、Ｇ及びＢ放電セルの各々を同一線上に配列することが図示及び説明されているが、異なる形状で配列することも可能である。例えば、Ｒ、Ｇ及びＢ放電セルが三角形形状で配列されるデルタ（Delta）タイプの配列も可能である。また、放電セルの形状も四角形状のみならず、五角形、六角形などの多様な多角形状も可能である。
【００４２】
また、縦隔壁２１２ａの幅と横隔壁２１２ｂの幅を異なるようにすることができ、このような隔壁の幅を、上幅または下幅にすることができる。また、横隔壁２１２ｂの幅が縦隔壁２１２ａの幅の１．０倍乃至５．０倍であることが好ましい。
【００４３】
一方、本発明の一実施例に係るプラズマディスプレイパネルでのＲ、Ｇ及びＢ放電セルのピッチ（Pitch）を実質的に同一にすることもできるが、Ｒ、Ｇ及びＢ放電セルでの色温度を合せるために、Ｒ、Ｇ及びＢ放電セルのピッチを異なるようにすることができる。この場合、Ｒ、Ｇ及びＢ放電セル別にピッチを全て異なるようにすることができるが、Ｒ、Ｇ及びＢ放電セルの中の１つの色を表現する放電セルのピッチのみを異なるようにすることができる。例えば、Ｒ放電セルのピッチが最も小さくて、Ｇ及びＢ放電セルのピッチをＲ放電セルのピッチより大きくすることもできる。
【００４４】
また、下部基板２１１上に形成されるアドレス電極は、幅や厚みを実質的に一定にすることもできるが、放電セルの内部での幅や厚みが放電セルの外部での幅や厚みと異なるようにすることができる。例えば、放電セル内部での幅や厚みが放電セル外部でのそれより広く厚くすることができる。
【００４５】
隔壁２１２ａ、２１２ｂの材料としては、鉛（Ｐｂ）を使用しないことが好ましく、使用してもプラズマディスプレイパネルの総重量の０．１重量％または１０００ＰＰＭ（Parts Per Million）以下に鉛（Ｐｂ）の含有量が少なくなるようにすることが好ましい。
【００４６】
ここで、鉛成分の全体含有量を１０００ＰＰＭ以下にする場合は、プラズマディスプレイパネルの重量対比鉛の含有量が１０００ＰＰＭ以下になるようにすることができる。
【００４７】
または、プラズマディスプレイパネルの特定構成要素での鉛成分の含有量を１０００ＰＰＭ以下にすることも可能である。例えば、隔壁の鉛成分、誘電体層の鉛成分または電極での鉛成分の含有量を各々の構成要素（隔壁、誘電体層、及び電極）の重量対比１０００ＰＰＭ以下になるようにすることができる。
【００４８】
また、プラズマディスプレイパネルの隔壁、誘電体層、電極、蛍光体層などの全ての構成要素の鉛成分の含有量をプラズマディスプレイパネルの重量対比で各々１０００ＰＰＭ以下にすることも可能である。これと共に、鉛成分の全体含有量を１０００ＰＰＭ以下に設定する理由は、鉛成分が人体に悪影響を及ぼす可能性があるためである。
【００４９】
図２Ｂは、プラズマディスプレイパネルの電極配置に対する一実施例を示したものであって、プラズマディスプレイパネルを構成する複数の放電セルを、図２Ｂに図示されたように、マトリックス形態で配置することが好ましい。複数の放電セルは各々スキャン電極ライン（Ｙ１乃至Ｙｍ）、サステイン電極ライン（Ｚ１乃至Ｚｍ）及びアドレス電極ライン（Ｘ１乃至Ｘｎ）の交差部に設けられる。スキャン電極ライン（Ｙ１乃至Ｙｍ）は順次に駆動され、サステイン電極ライン（Ｚ１乃至Ｚｍ）は共通的に駆動される。アドレス電極ライン（Ｘ１乃至Ｘｎ）は奇数番目ラインと偶数番目ラインに分割されて駆動する。
【００５０】
図２Ｂに図示された電極配置は、本発明に係るプラズマパネルの電極配置に関する一実施例に過ぎないので、本発明は、図２Ｂに図示されたプラズマディスプレイパネルの電極配置及び駆動方式に限定されない。例えば、スキャン電極ライン（Ｙ１乃至Ｙｍ）のうち、２つのスキャン電極ラインが同時に駆動されるデュアルスキャン（dual scan）やダブルスキャン（double scan）方式も可能である。ここで、デュアルスキャン方式は、プラズマディスプレイパネルを上下２つの領域に分けて、上部領域と下部領域の各々に属している１つずつのスキャン電極ラインを同時に駆動する方式である。また、ダブルスキャン方式は連続に配置された２つのスキャン電極ラインを同時に駆動する方式である。
【００５１】
図２Ａに図示された本発明によるプラズマディスプレイパネル構造の第１実施例に関して、次の図３を通じてより詳細に説明する。
【００５２】
図３は、本発明に係るプラズマディスプレイパネルの電極構造に関する第１実施例を示す断面図であって、図２Ａに図示されたプラズマディスプレイパネルのうち、１つの放電セル内に形成される維持電極対２０２、２０３の配置構造のみを簡略に図示した。
【００５３】
図３に図示されたように、本発明の第１実施例に係る維持電極２０２、２０３は基板上に放電セルの中心を基準に対称になるように対をなして形成される。維持電極の各々は放電セルを横切る少なくとも２つの電極ライン２０２ａ、２０２ｂ、２０３ａ、２０３ｂを含むライン部、放電セルの中心に最も近い電極ライン２０２ａ、２０３ａに連結され、放電セル内で放電セルの中心方向に突出する少なくとも１つの突出電極２０２ｃ、２０３ｃを含む突出部からなる。また、図３に図示されたように、維持電極２０２、２０３の各々は、２つの電極ライン２０２ａと２０２ｂ、及び２０３ａと２０３ｂを連結する１つのブリッジ電極２０２ｄ、２０３ｄを更に含むことが好ましい。
【００５４】
電極ライン２０２ａ、２０２ｂ、２０３ａ、２０３ｂは放電セルを横切って、プラズマディスプレイパネルの一方向に延びる。本発明の第１実施例に係る電極ラインは開口率を向上させるために幅を狭く形成する。また、放電拡散効率を向上させるために複数個の電極ライン２０２ａ、２０２ｂ、２０３ａ、２０３ｂを使用し、かつ、開口率を考えて電極ラインの個数を決めることが好ましい。
【００５５】
突出電極２０２ｃ、２０３ｃは、１つの放電セル内で放電セルの中心に最も近い電極ライン２０２ａ、２０３ａに連結され、放電セルの中心方向に突出することが好ましい。突出電極２０２ｃ、２０３ｃは、プラズマディスプレイパネル駆動時に放電開始電圧を低減する。電極ライン２０２ａ、２０３ａ間の距離（ｃ）により放電開始電圧が増加するため、本発明の第１実施例では電極ライン２０２ａ、２０３ａの各々に連結される突出電極２０２ｃ、２０３ｃを備える。近くに形成された突出電極２０２ｃ、２０３ｃの間には低い放電開始電圧でも放電が開始されるので、プラズマディスプレイパネルの放電開始電圧を低減することができる。ここで、放電開始電圧とは、維持電極対２０２、２０３のうち、少なくともいずれか１つの電極にパルスを供給する際に放電が始まる電圧レベルをいう。
【００５６】
このような突出電極２０２ｃ、２０３ｃは、その大きさが非常に小さいため、製造工程の公差により実質的に突出電極２０２ｃ、２０３ｃの電極ライン２０２ａ、２０３ａと連結される部分の幅（Ｗ１）が突出電極の終端部分の幅（Ｗ２）より広く形成される可能性があるが、必要に応じてその終端の幅（Ｗ２）をより広くすることも可能である。
【００５７】
維持電極対２０３、２０２の各々を構成する隣り合う２つの電極ライン間の間隔、即ち２０３ａと２０３ｂ間の間隔、または、２０２ａと２０２ｂとの間の間隔は８０乃至１２０μｍであることが好ましい。隣り合う２つの電極ライン間の間隔が前述のような値を有する場合、プラズマディスプレイパネルの開口率を十分に確保してディスプレイ映像の輝度を増加させることができ、放電空間内での放電拡散効率を増加させることができる。
【００５８】
突出電極２０２ｃ、２０３ｃの幅（Ｗ１）は３０乃至７０μｍであることが好ましい。突出電極２０２ｃ、２０３ｃの幅が前述のような値を有する場合、プラズマディスプレイパネルの開口率が小さく、ディスプレイ装置の前面に反射されて出る光が突出電極２０２ｃ、２０３ｃにより塞がれて、映像の輝度が減少することを防止することができる。
【００５９】
また、突出電極２０２ｃ、２０３ｃの幅（Ｗ１）が３５乃至４５μｍである時、ディスプレイ映像の輝度を向上させると共に、放電効率を極大化させることができる。
【００６０】
突出電極２０２ｃ、２０３ｃ間の間隔（ａ）は１５乃至１６５μｍであることが好ましい。突出電極２０２ｃ、２０３ｃ間の間隔（ａ）が前述のような値を有する場合、プラズマディスプレイパネル駆動に適切な放電開始電圧を有することになる。
【００６１】
また、突出電極２０２ｃ、２０３ｃ間に放電がしきい値以上に過発生して電極の寿命が短縮することを防止するために、突出電極２０２ｃ、２０３ｃ間の間隔（ａ）を６０乃至１２０μｍにすることができる。
【００６２】
ブリッジ電極２０２ｄ、２０３ｄは、維持電極２０２、２０３の各々を構成する２つの電極ライン２０２ａと２０２ｂ、及び２０３ａと２０３ｂをそれぞれ連結する。ブリッジ電極２０２ｄ、２０３ｄは突出電極２０２ｃ、２０３ｃを通じて開始された放電が放電セルの中心から遠い電極ライン２０２ｂ、２０３ｂまで容易に拡散することを促進させる。
【００６３】
このように、本発明の第１実施例に係る電極構造は電極ラインの個数を制限することによって、開口率を向上させることができる。また、突出電極２０２ｃ、２０３ｃを形成することによって、放電開始電圧を低減することができる。また、ブリッジ電極２０２ｄ、２０３ｄと放電セルの中心から遠い電極ライン２０２ｂ、２０３ｂにより放電拡散効率を増加させて、全体的にプラズマディスプレイパネルの発光効率を向上させることができる。即ち、従来のプラズマディスプレイパネルの明るさと等しいか、より明るくすることができるので、ＩＴＯ透明電極の不使用が可能である。
【００６４】
図４は、本発明に係るプラズマディスプレイパネルに関する第２実施例を示す斜視図である。図４に図示されたように、本発明に係るプラズマディスプレイパネルの第２実施例は、所定の間隔を置いて合着する上部パネル４００と下部パネル４１０を含む。維持電極対４０２、４０３に交差（intersect）する方向に下部基板４１１上に形成されるアドレス電極４１３及び上部基板４０１と下部基板４１１との間に形成され、複数の放電セルを区画する隔壁４１２を含む。ここで、本発明の第２実施例に係るプラズマディスプレイパネルの特徴のうち、本発明の第１実施例で記述された内容と同一部分に関する説明は省略する。
【００６５】
本発明の第２実施例に係る維持電極対４０２、４０３は、不透明な金属電極だけで構成されることが好ましい。これで、プラズマディスプレイパネルの製造コストを低減することができる。即ち、本発明に係るプラズマディスプレイパネルの維持電極対４０２、４０３の各々は、従来のＩＴＯ電極を含まず、バス電極１つからなる単一層（one layer）で構成することが好ましい。
【００６６】
例えば、本発明の実施例に係る維持電極対４０２、２０３の各々を銀で形成することが好ましくて、銀は感光性の性質を有することが好ましい。また、本発明の実施例に係る維持電極対４０２、４０３の各々は上部基板４０１に形成される上部誘電体層４０４より色が暗くて、光の透過度がより低い性質を有することが好ましい。
【００６７】
また、図４は、Ｒ、Ｇ、Ｂ各々の単位放電セルを示すものであって、１つの放電セル内には維持電極４０２、４０３の各々が複数個の電極ラインで形成される。これは、開口率と放電拡散効率を考えたものである。また、本発明の第２実施例では、放電セルの中心方向の反対方向に延びる第２突出電極４０２ｅ、４０３ｅを備えることによって、本発明の第１実施例より向上した放電効率を有することができる。
【００６８】
維持電極対の電極ライン４０２ａ、４０２ｂ、４０３ａ、４０３ｂの厚みは３乃至７μｍであることが好ましくて、電極ライン４０２ａ、４０２ｂ、４０３ａ、４０３ｂの抵抗は５０乃至６５Ωであることが好ましい。電極ラインの厚み及び抵抗の上限値と下限値の臨界的意味は、前述の図２Ａを参考にして説明したことと同一であるのでここでは説明を省略する。
【００６９】
図４に図示された構造は、本発明に係るプラズマパネルの構造に関する一実施例に過ぎないので、本発明は図４に図示されたプラズマディスプレイパネル構造に限定されない。
【００７０】
図４に図示された本発明の第２実施例に係る維持電極対４０２、４０３の構造に関するより詳細な説明は、次の図５Ａ乃至図７を通じて記述する。
【００７１】
図５Ａは、本発明に係るプラズマディスプレイパネルの電極構造に関する第２実施例を示す断面図であって、図４に図示されたプラズマディスプレイパネルの中の１つの放電セル内に形成される維持電極対４０２、４０３の配置構造のみを簡略に示したものである。
【００７２】
図５Ａに図示されたように、維持電極４０２、４０３の各々は、放電セルを横切る少なくとも２つの電極ライン４０２ａ、４０２ｂ、４０３ａ、４０３ｂと、放電セルの中心に最も近い電極ライン４０２ａ、４０３ａに連結され、放電セル内で放電セルの中心方向に突出する第１突出電極４０２ｃ、４０３ｃ、２つの電極ライン４０２ａと４０２ｂ、及び４０３ａと４０３ｂをそれぞれ連結するブリッジ電極４０２ｄ、４０３ｄ及び放電セルの中心から最も遠い電極ライン４０２ｂ、４０３ｂに連結され、放電セル内で放電セルの中心の反対方向に突出する第２突出電極４０２ｅ、４０３ｅを含む。
【００７３】
電極ライン４０２ａ、４０２ｂ、４０３ａ、４０３ｂは放電セルを横切り、プラズマディスプレイパネルの一方向に延びる。本発明の第２実施例に係る電極ラインは開口率を向上させるために幅を狭く形成することが好ましい。好ましくは、電極ラインの幅（Ｗ１）は２０μｍ以上７０μｍ以下にして開口率を向上させると共に、放電が円滑に生じるようにすることが好ましい。
【００７４】
図５Ａに図示されたように、放電セルの中心に近い電極ライン４０２ａ、４０３ａは第１突出電極４０２ｃ、４０３ｃと連結され、放電セルの中心に近い電極ライン４０２ａ、４０３ａは放電が開始されると共に放電拡散が始まる経路を形成する。放電セルの中心から遠い電極ライン４０２ｂ、４０３ｂは第２突出電極４０２ｅ、４０３ｅと連結される。放電セルの中心から遠い電極ライン４０２ｂ、４０３ｂは放電セル周辺部まで放電を拡散する役割をする。
【００７５】
第１突出電極４０２ｃ、４０３ｃは、１つの放電セル内で放電セルの中心に近い電極ライン４０２ａ、４０３ａに連結され、放電セルの中心方向に突出する。好ましくは、第１突出電極は、電極ライン４０２ａ、４０３ａの中心に形成される。第１突出電極４０２ｃ、４０３ｃは互いに対応して電極ラインの中心に形成されることによって、プラズマディスプレイパネルの放電開始電圧をより効果的に低減することができる。
【００７６】
突出電極４０２ｃ、４０３ｃの幅（Ｗ１）は、３５乃至４５μｍであることが好ましくて、突出電極４０２ｃ、４０３ｃ間の間隔（ａ）は１５乃至１６５μｍであることが好ましい。突出電極４０２ｃ４０３ｃの幅及び間隔の上限値と下限値の臨界的意味は、前述の図３を参考にして説明したことと同一であるので、ここでは説明を省略する。
【００７７】
ブリッジ電極４０２ｄ、４０３ｄは、維持電極４０２、４０３の各々を構成する２つの電極ライン４０２ａと４０２ｂ、及び４０３ａと４０３ｂをそれぞれ連結する。ブリッジ電極４０２ｄ、４０３ｄは突出電極を通じて開始された放電が放電セルの中心から遠い電極ライン４０２ｂ、４０３ｂまで容易に広がることを促進させる。ここで、ブリッジ電極４０２ｄ、４０３ｄは放電セル内に位置しているが、その必要に応じて、放電セルを区画する隔壁４１２上に形成することも可能である。
【００７８】
これによって、本発明に係るプラズマディスプレイパネルの電極構造に対する第２実施例では、電極ライン４０２ｂ、４０３ｂと隔壁４１２との間の空間にも放電を拡散させることができる。それによって、放電拡散効率を増加させ、プラズマディスプレイパネルの発光効率を向上させることができる。
【００７９】
第２突出電極４０２ｅ、４０３ｅは放電セルの中心から遠い電極ライン４０２ｂ、４０３ｂに連結され、放電セルの中心方向の反対方向に突出する。第２突出電極４０２ｅ、４０３ｅの長さは３０乃至１００μｍであるもことが好ましくて、前述のような値を有することにより、放電セル中心から遠い放電空間まで放電が効果的に広がるようにすることができる。
【００８０】
また、パネルの開口率を２５乃至４５％に維持すると共に、それによって、ディスプレイ映像の輝度を向上させるために、第２突出電極４０２ｅ、４０３ｅの長さを５０乃至１００μｍにすることができる。
【００８１】
図５Ａに図示されたように、第２突出電極４０２ｅ、４０３ｅは放電セルを区画する隔壁４１２まで延びるように形成することができる。また、他の部分で十分に補償された開口率を受けることができれば、放電拡散効率をより向上させるために隔壁４１２上に一部延長することも可能である。但し、第２突出電極４０２ｅ、４０３ｅが隔壁４１２まで延びるようにして形成されない場合、第２突出電極４０２ｅ、４０３ｅとそれに隣り合う隔壁４１２間の間隔は７０μｍ以下であることが好ましい。第２突出電極４０２ｅ、４０３ｅと隔壁４１２間の間隔が７０μｍ以下である時、放電セルの中心から遠い放電空間まで放電が効果的に広がることができる。
【００８２】
本発明の第２実施例では第２突出電極４０２ｅ、４０３ｅを電極ライン４０２ｂ、４０３ｂの中心に形成して、放電セルの周辺部に放電を均等に拡散させるようにすることが好ましい。
【００８３】
一方、本発明の第２実施例では、放電セルを区画する隔壁のうち、第２突出電極４０２ｅ、４０３ｅが延びる方向に位置する隔壁の幅（Ｗｂ）を２００μｍ以下に形成することが好ましい。また、外部光を吸収して明室コントラストを確保し、放出される放電光が隣り合う放電セルに広がって表示されることを防止するためのブラックマトリックス（図示していない）を隔壁４１２上に形成させることが好ましい。隔壁４１２の幅を２００μｍ以下に制限することによって、放電セルの面積が増加する。これによって、発光効率を増加させることができ、第２突出電極などによる開口率の低減を補償することができる。第２突出電極が延びる方向に位置する隔壁の幅（Ｗｂ）を９０乃至１００μｍにすることが好ましく、これにより最適の発光効率を得ることができる。
【００８４】
ディスプレイ映像の輝度を向上させると共に、コントラストを向上させ、駆動パネルの駆動マージンを確保するための電極の抵抗値を確保するために、本発明に係るプラズマディスプレイパネルの開口率は２５乃至４５％であることが好ましい。
【００８５】
パネルの開口率は、パネルの有効表示領域、即ちパネルの放電セルのうち、ディスプレイ映像に影響を及ぼす放電セルが位置する領域の面積対比開口率であることが好ましい。
【００８６】
図５Ｂを参照すれば、突出部４０３ｃは曲率を有する曲線部分を含むことができる。図５Ｂに図示されたように、突出部４０３ｃが曲線形態で形成される場合、電極の製造工程をより容易にすることができる。また、パネルの駆動の際、壁電荷（Wall Charge）が特定位置に過度に集中することを防止することができ、これによって、放電特性を安定させて駆動安定性を向上させることができる。
【００８７】
図５Ｂに図示されたように、突出部４０３ｃが曲線形態で形成される場合、突出部４０３ｃの幅（Ｗ）は突出部４０３ｃの中間部分の幅と定義することが好ましい。
【００８８】
また、ブリッジ電極４０２ｄ、４０３ｄと電極ライン４０２ａ、４０３ａが連結される部分も図５Ｂに図示された突出部４０３ｃのように曲率を有することができる。
【００８９】
図６は、本発明に係るプラズマディスプレイパネルの電極構造に関する第３実施例を示す断面図である。図６に図示された電極構造の中で、図５Ａ及び図５Ｂに記述された内容と同一の内容に関する説明は省略する。
【００９０】
図６に図示されたように、本発明に係る電極構造に関する第３実施例では、維持電極６０２、６０３の各々に２つの第１突出電極６０２ａ、６０３ａが形成される。第１突出電極６０２ａ、６０３ａは放電セルの中心に近い電極ラインに連結され、放電セルの中心方向に突出する。第１突出電極６０２ａ、６０３ａの各々は電極ラインの中心を基準に互いに対称に形成されることが好ましい。
【００９１】
第１突出電極６０２ａ、６０３ａの幅は、３５乃至４５μｍであることが好ましい。突出電極幅の上限値と下限値の臨界的意味は、前述の図３を参考にして説明したことと同一であるので、ここでは説明を省略する。
【００９２】
１つの電極ラインから突出した２つの第１突出電極間の間隔（ｄ１、ｄ２）は、プラズマディスプレイパネルが４２インチ（inch）の大きさ及びＶＧＡの解像度を有する場合には５０乃至１００μｍであり、プラズマディスプレイパネルが４２インチ（inch）の大きさ及びＸＧＡの解像度を有する場合には３０乃至８０μｍであり、プラズマディスプレイパネルが５０インチ（inch）の大きさ及びＸＧＡの解像度を有する場合には４０乃至９０μｍであることが好ましい。
第１突出電極の間隔（ｄ１、ｄ２）が前述のような範囲を有する際、ディスプレイ装置に要求される映像の輝度が具現できる開口率の確保が可能であり、第１突出電極が隔壁にあまり近接して無効電力が増加することにより、ディスプレイに消耗される電力が限界値以上に増加することを防止することができる。
【００９３】
維持電極６０２、６０３の各々に２つの第１突出電極６０２ａ、６０３ａを形成することによって、放電セル中心での電極面積が増加する。これによって、放電が開始される前には放電セル内に空間電荷が多く形成されて放電開始電圧がより低くなり、放電速度が速くなる。併せて、放電が開始された後には壁電荷量が増加して輝度が上昇して、放電が全体放電セルに均一に広がる。
【００９４】
また、第１突出電極６０２ｃ、６０３ｃ間の間隔（ａ１、ａ２）、即ち電極ライン６０２、６０３と交差する方向への２つの突出電極間の間隔（ａ１、ａ２）は１５乃至１６５μｍであることが好ましい。突出電極の間隔の上限値と下限値の臨界的意味は、前述の図３を参考にして説明したことと同一であるので、ここでは説明を省略する。
【００９５】
図７は、本発明に係るプラズマディスプレイパネルの電極構造に対する第４実施例を示す断面図である。図７に図示された電極構造の中で、図５Ａ及び図６に記述された内容と同一の内容に関する説明は省略する。
【００９６】
図７に図示されたように、本発明に係る電極構造に関する第４実施例では、維持電極７０２、７０３の各々は３つの第１突出電極７０２ａ、７０３ａが形成される。
【００９７】
第１突出電極７０２ａ、７０３ａは電極ラインの中で、放電セルの中心に近い電極ラインに連結され、放電セルの中心方向に突出する。好ましくは、いずれか１つの第１突出電極は電極ラインの中心に形成され、残りの２つの第１突出電極は電極ラインの中心を基準に互いに対称に形成されることが好ましい。維持電極７０２、７０３の各々に３つの第１突出電極７０２ａ、７０３ａを形成することによって、図５Ａと図６の場合より放電開始電圧がより一層低くなり、放電速度もより一層速くなる。併せて、放電開始後には輝度がより一層上昇し、放電が全体放電セルに一層均一に広がる。
【００９８】
前述のように、第１突出電極の個数を増加させることによって、放電セルの中心での電極面積が増加して放電開始電圧が低くなり、輝度が増加する。一方、放電セルの中心で最も強い放電が生じ、最も明るい放電光が放出される点を考えなければならない。即ち、第１突出電極の個数が増加するほど放電セルの中心から放出される光を遮断することによって、放出される光が格段に減少する点と共に、放電開始電圧と輝度効率を同時に考えて、最善の個数を選択して維持電極の構造を設計することが好ましい。
【００９９】
第１突出電極７０２ａ、７０３ａの幅は、３５乃至４５μｍであることが好ましくて、第１突出電極７０２ｃ、７０３ｃ間の間隔（ａ１、ａ２、ａ３）は１５乃至１６５μｍであることが好ましい。第１突出電極７０２ａ、７０３ａの幅及び間隔に対する上限値と下限値の臨界的意味は、前述の図３を参考にして説明したことと同一であるので、ここでは説明を省略する。
【０１００】
図８は、本発明に係るプラズマディスプレイパネルの電極構造に関する第５実施例を示す断面図であって、維持電極８００、８１０の各々は放電セルを横切る３つの電極ライン８００ａ、８００ｂ、８００ｃ、及び、８１０ａ、８１０ｂ、８１０ｃをそれぞれ含む。当該電極ラインは放電セルを横切ってプラズマディスプレイパネルの一方向に延びる。当該電極ラインは開口率の向上のために幅が狭く形成され、好ましくは２０乃至７０μｍの幅を有するようにして開口率を向上させると共に、放電が円滑に生じるようにする。
【０１０１】
維持電極対の電極ライン８００ａ、８００ｂ、８００ｃ、及び、８１０ａ、８１０ｂ、８１０ｃの厚みは、３乃至７μｍであることが好ましくて、各々の維持電極を構成する３つの電極ラインの間の間隔（ａ１、ａ２）を互いに同一にすることや相異にすることができ、電極ラインの幅（ｂ１、ｂ２、ｂ３）も互いに同一にすることや相異にすることができる。電極ラインの厚みの上限値と下限値の臨界的意味は、前述の図２Ａを参考にして説明したことと同一であるので、ここでは説明を省略する。
【０１０２】
図９は、本発明に係るプラズマディスプレイパネルの電極構造に関する第６実施例を示す断面図であって、維持電極９００、９１０の各々は放電セルを横切る４つの電極ライン９００ａ、９００ｂ、９００ｃ、９００ｄ、及び、９１０ａ、９１０ｂ、９１０ｃ、９１０ｄを含む。当該電極ラインは放電セルを横切ってプラズマディスプレイパネルの一方向に延びる。当該電極ラインは開口率の向上のために幅が狭く形成され、好ましくは２０乃至７０μｍの幅を有するようにして、開口率を向上させると共に、放電が円滑に生じるようにする。
【０１０３】
維持電極対９００、９１０の電極ライン９００ａ、９００ｂ、９００ｃ、９００ｄ、及び、９１０ａ、９１０ｂ、９１０ｃ、９１０ｄの厚みは、３乃至７μｍであることが好ましい。電極ライン厚みの上限値と下限値の臨界的意味は、前述の図２Ａを参考にして説明したことと同一であるので、ここでは説明を省略する。
各々の維持電極を構成する４つの電極ラインの間の間隔（ｃ１、ｃ２、ｃ３）を互いに同一にすることや相異にすることができ、電極ラインの幅（ｄ１、ｄ２、ｄ３、ｄ４）も互いに同一にすることや相異にすることができる。
【０１０４】
図１０は、本発明に係るプラズマディスプレイパネルの電極構造に対する第７実施例を示す断面図であって、維持電極１０００、１０１０の各々は放電セルを横切る４つの電極ライン１０００ａ、１０００ｂ、１０００ｃ、１０００ｄ、及び、１０１０ａ、１０１０ｂ、１０１０ｃ、１０１０ｄを含む。当該電極ラインは放電セルを横切ってプラズマディスプレイパネルの一方向に延びる。
【０１０５】
維持電極対の電極ライン１０００ａ、１０００ｂ、１０００ｃ、１０００ｄ、及び、１０１０ａ、１０１０ｂ、１０１０ｃ、１０１０ｄの厚みは３乃至７μｍであることが好ましい。電極ライン厚みの上限値と下限値の臨界的意味は、前述の図２Ａを参考にして説明したことと同一であるので、ここでは説明を省略する。
【０１０６】
ブリッジ電極１０２０、１０３０、１０４０、１０５０、１０６０、１０７０は、各々２つの電極ラインを連結する。ブリッジ電極１０２０、１０３０、１０４０、１０５０、１０６０、１０７０は開始された放電が放電セルの中心から遠い電極ラインまで容易に広がるようにする。図１０に図示されたように、ブリッジ電極１０２０、１０３０、１０４０、１０５０、１０６０、１０７０の位置は、互いに一致しないようにすることができ、いずれか１つのブリッジ電極（ここでは電極１０４０）を隔壁１０８０上に位置することができる。
【０１０７】
図１１は本発明に係るプラズマディスプレイパネルの電極構造に対する第８実施例を示す断面図であって、図１０に図示された場合とは異なり、電極ラインを連結するブリッジ電極が同一な位置に形成されて、維持電極１１００、１１１０の各々に対して４つの電極ライン１１００ａ、１１００ｂ、１１００ｃ、１１００ｄ、及び、１１１０ａ、１１１０ｂ、１１１０ｃ、１１１０ｄを連結する１つのブリッジ電極１１２０、１１３０を形成したものである。
【０１０８】
維持電極対の電極ライン１１００ａ、１１００ｂ、１１００ｃ、１１００ｄ、及び、１１１０ａ、１１１０ｂ、１１１０ｃ、１１１０ｄの厚みは３乃至７μｍであることが好ましい。電極ラインの厚みの上限値と下限値の臨界的意味は、前述の図２Ａを参考にして説明したことと同一であるので、ここで説明を省略する。
【０１０９】
図１２は、本発明に係るプラズマディスプレイパネルの電極構造に対する第９実施例を示す断面図であって、電極ライン１２００、１２１０の各々に対して閉ループ（closed loop）を含む形態の突出電極１２２０、１２３０を形成したものである。図１２に図示したような閉ループを含む突出電極１２２０、１２３０を通じて、放電開始電圧を低減すると共に、開口率を向上させることができる。突出電極及び閉ループの形態は多様に変形が可能である。
【０１１０】
維持電極対の電極ライン１２００、１２１０の厚みは３乃至７μｍであることが好ましい。電極ラインの厚みの上限値と下限値の臨界的意味は、前述の図２Ａを参考にして説明したことと同一であるので、ここでは説明を省略する。
【０１１１】
突出電極１２２０、１２３０の線幅（Ｗ１、Ｗ２）は３５乃至４５μｍであることが好ましい。突出電極１２２０、１２３０の線幅（Ｗ１、Ｗ２）が前述のような値を有する場合、充分なパネルの開口率を確保してディスプレイ装置の前面に反射されて出る光が突出電極により塞がれて、映像の輝度が減少することを防止することができる。
【０１１２】
また、２つの突出電極１２２０、１２３０間の間隔は１５乃至１６５μｍであることが好ましい。突出電極の間隔の上限値と下限値の臨界的意味は、図３を参考にして説明したことと同一であるので、ここでは説明を省略する。
【０１１３】
図１３は、本発明に係るプラズマディスプレイパネルの電極構造に関する第１０実施例を示す断面図であって、電極ライン１３００、１３１０の各々に対して四角形形状の閉ループを含む突出電極１３２０、１３３０を形成したものである。
【０１１４】
維持電極対の電極ライン１３００、１３１０の厚みは３乃至７μｍであることが好ましい。電極ラインの厚みの上限値と下限値の臨界的意味は、前述の図２Ａを参考にして説明したことと同一であるので、ここでは説明を省略する。
【０１１５】
突出電極１３２０、１３３０の線幅（Ｗ１、Ｗ２）は３５乃至４５μｍであることが好ましい。突出電極１３２０、１３３０の線幅（Ｗ１、Ｗ２）の上限値と下限値の臨界的意味は、前述の図１２を参考にして説明したことと同一であるので、ここでは説明を省略する。
【０１１６】
また、２つの突出電極１３２０、１３３０間の間隔は１５乃至１６５μｍであることが好ましい。突出電極間隔の上限値と下限値の臨界的意味は、前述の図３を参考にして説明したことと同一であるので、ここでは説明を省略する。
【０１１７】
図１４Ａ及び図１４Ｂは、本発明に係るプラズマディスプレイパネルの電極構造に対する第１１実施例を示す断面図であって、電極ライン１４００、１４１０の各々に対して放電セルの中心方向に突出した第１突出電極１４２０ａ、１４２０ｂ、及び、１４３０ａ、１４３０ｂと、放電セルの中心方向またはその反対方向に突出した第２突出電極１４４０、１４５０、または、１４６０、１４７０を形成させたものである。
【０１１８】
図１４Ａに図示されたように、電極ライン１４００、１４１０の各々に対して放電セルの中心方向に突出した２つの第１突出電極１４２０ａ、１４２０ｂ、及び、１４３０ａ、１４３０ｂを形成して、放電セルの中心方向の反対方向に突出した１つの第２突出電極１４４０、１４５０を形成することが好ましい。または、図１４Ｂに図示されたように、第２突出電極１４６０、１４７０は、放電セルの中心方向に突出することができる。
【０１１９】
維持電極対の電極ライン１４００、１４１０の厚みは３乃至７μｍであることが好ましい。電極ラインの厚みの上限値と下限値の臨界的意味は、前述の図２Ａを参考にして説明したことと同一であるので、ここでは説明を省略する。
【０１２０】
第１突出電極１４２０ａ、１４２０ｂ、及び、１４３０ａ、１４３０ｂの幅は３５乃至４５μｍであることが好ましい。突出電極の幅の上限値と下限値の臨界的意味は、前述の図３を参考にして説明したことと同一であるので、ここでは説明を省略する。
【０１２１】
１つの電極ラインから突出した２つの第１突出電極間の間隔（ｄ１、ｄ２）は、プラズマディスプレイパネルが４２インチ（inch）の大きさ及びＶＧＡの解像度を有する場合には５０乃至１００μｍであり、プラズマディスプレイパネルが４２インチ（inch）の大きさ及びＸＧＡの解像度を有する場合には５０乃至１００μｍであり、５０インチ（inch）の大きさ及びＸＧＡの解像度を有する場合には４０乃至９０μｍであることが好ましい。第１突出電極間の間隔（ｄ１、ｄ２）の上限値と下限値の臨界的意味は、前述の図６を参考にして説明したことと同一であるので、ここでは説明を省略する。
【０１２２】
更に他の第１突出電極間の間隔、即ち１４２０ａと１４３０ａとの間の間隔（ａ１）または１４２０ｂと１４３０ｂとの間の間隔（ａ２）は１５乃至１６５μｍであることが好ましい。突出電極の間隔の上限値と下限値の臨界的意味は、前述の図３を参考にして説明したことと同一であるので、ここでは説明を省略する。
【０１２３】
図１５は、前述したような構造を有する本発明に係るプラズマディスプレイパネルに対して、１つのフレーム（frame）を複数のサブフィールドに分けて時分割駆動させる方法に関する一実施例を示すタイミング図である。単位フレームは時分割階調表示を実現するために、所定個数、例えば８つのサブフィールド（ＳＦ１、・・・、ＳＦ８）に分割することができる。また、各サブフィールド（ＳＦ１、・・・ＳＦ８）はリセット区間（図示していない）と、アドレス区間（Ａ１、・・・、Ａ８）及びサステイン区間（Ｓ１、・・・、Ｓ８）に分割される。
【０１２４】
各アドレス区間（Ａ１、・・・、Ａ８）では、アドレス電極（Ｘ）に表示データ信号が供給され、各スキャン電極（Ｙ）に相応するスキャンパルスが順次に供給される。
【０１２５】
各サステイン区間（Ｓ１、・・・、Ｓ８）では、スキャン電極（Ｙ）とサステイン電極（Ｚ）にサステインパルスが交互に供給されて、アドレス区間（Ａ１、・・・、Ａ８）で壁電荷が形成された放電セルでサステイン放電を起こす。
【０１２６】
プラズマディスプレイパネルの輝度は単位フレームに占めるサステイン放電区間（Ｓ１、・・、Ｓ８）内のサステイン放電パルス個数に比例する。１画像を形成する１つのフレームが、８つのサブフィールドと２５６階調で表現される場合に、各サブフィールドには順に１、２、４、８、１６、３２、６４、１２８の割合で互いに異なるサステインパルスの数を割り当てることができる。仮に、１３３階調の輝度を得るためには、サブフィールド１区間、サブフィールド３区間及びサブフィールド８区間の間、セルをアドレッシングしてサステイン放電すればよい。
【０１２７】
各サブフィールドに割り当てられるサステイン放電数は、ＡＰＣ（Automatic Power Control）段階によるサブフィールドの加重値によって可変的に決定することができる。即ち、図１５では１フレームを８つのサブフィールドに分割する場合を例として説明したが、本発明はそれに限るのでなく、１フレームを形成するサブフィールドの数を設計仕様によって多様に変形可能である。例えば、１フレームを１２または１６サブフィールドなどのように、８サブフィールド以上、または、それ以下に分割してプラズマディスプレイパネルを駆動することができる。
【０１２８】
また、各サブフィールドに割り当てられるサステイン放電数は、ガンマ特性やパネル特性を考えて多様に変形可能である。例えば、サブフィールド４に割り当てられた階調度を８から６に減少させ、サブフィールド６に割り当てられた階調度を３２から３４に増加させることができる。
【０１２９】
図１６は、分割されたサブフィールドに対して、プラズマディスプレイパネルを駆動させるための駆動信号に関する一実施例を示すタイミング図である。
【０１３０】
まず、スキャン電極（Ｙ）の上に正極性壁電荷を形成し、サステイン電極（Ｚ）の上に負極性壁電荷を形成するためのプリリセット（pre reset）区間が存在し、この後、各サブフィールドはプリリセット区間により形成された壁電荷の分布を利用して全画面の放電セルを初期化するためのリセット（Reset）区間、放電セルを選択するためのアドレス（address）区間及び選択された放電セルの放電を維持させるためのサステイン（sustain）区間を含む。
【０１３１】
リセット区間はセットアップ（setup）区間及びセットダウン（setdown）区間からなり、セットアップ区間では全てのスキャン電極に上りランプ波形（Ramp-up）が同時に供給されて、全ての放電セルで微細放電が生じ、これによって壁電荷が生成される。セットダウン区間には上りランプ波形（Ramp-up）のピーク電圧より低い正極性電圧で下降する下りランプ波形（Ramp-down）が全てのスキャン電極（Ｙ）に同時に供給されて、全ての放電セルで消去放電が生じ、これによって、セットアップ放電により生成された壁電荷及び空間電荷の中、不要電荷を消去させる。
【０１３２】
アドレス区間にはスキャン電極に負極性のスキャン信号（scan）が順次に供給され、これと共に、アドレス電極（Ｘ）に正極性のデータ信号（data）が供給される。このようなスキャン信号（scan）とデータ信号（data）との間の電圧差とリセット区間の間に生成された壁電圧によりアドレス放電が発生されて、セルが選択される。一方、セットダウン区間とアドレス区間の間に、サステイン電極にはサステイン電圧（Ｖｓ）を維持する信号が供給される。
【０１３３】
サステイン区間にはスキャン電極とサステイン電極に交互にサステインパルスが供給されて、スキャン電極とサステイン電極との間に面放電形態でサステイン放電が発生する。
【０１３４】
図１６に図示された駆動波形は、本発明に係るプラズマディスプレイパネルを駆動させるための信号に関する一実施例であって、図１６に図示された波形により本発明は限定されない。例えば、プリリセット区間を省略することができ、図１６に図示された駆動信号の極性及び電圧レベルは必要に応じて変更可能であり、サステイン放電が完了した後に壁電荷消去のための消去信号をサステイン電極に供給することができる。また、サステイン信号がスキャン電極（Ｙ）とサステイン（Ｚ）電極のうち、いずれか１つのみに供給されてサステイン放電を起こすシングルサステイン（single sustain）駆動も可能である。
【０１３５】
以上、本発明の好ましい実施例に対して詳細に記述したが、本発明が属する技術分野において通常の知識を有する者であれば、添付した請求範囲に定義された本発明の精神及び範囲から逸脱しない範囲内で本発明を種々変形または変更して実施できることが分かる。したがって、本発明の今後の実施例の変更は本発明の技術から逸脱しないはずである。
【図面の簡単な説明】
【０１３６】
【図１】プラズマディスプレイ装置に備えられる一般的なパネル（panel）の構造を説明する図である。
【図２Ａ】本発明に係るプラズマディスプレイパネルに関する第１実施例を示す斜視図である。
【図２Ｂ】プラズマディスプレイパネルの電極配置に関する一実施例を示す図である。
【図３】本発明に係るプラズマディスプレイパネルの電極構造に関する第１実施例を示す断面図である。
【図４】本発明に係るプラズマディスプレイパネルに関する第２実施例を示す斜視図である。
【図５Ａ】本発明に係るプラズマディスプレイパネルの電極構造に関する第２実施例を示す断面図である。
【図５Ｂ】本発明に係るプラズマディスプレイパネルの電極構造に関する第２実施例を示す断面図である。
【図６】本発明に係るプラズマディスプレイパネルの電極構造に関する第３実施例を示す断面図である。
【図７】本発明に係るプラズマディスプレイパネルの電極構造に関する第４実施例を示す断面図である。
【図８】本発明に係るプラズマディスプレイパネルの電極構造に関する第５実施例を示す断面図である。
【図９】本発明に係るプラズマディスプレイパネルの電極構造に関する第６実施例を示す断面図である。
【図１０】本発明に係るプラズマディスプレイパネルの電極構造に関する第７実施例を示す断面図である。
【図１１】本発明に係るプラズマディスプレイパネルの電極構造に関する第８実施例を示す断面図である。
【図１２】本発明に係るプラズマディスプレイパネルの電極構造に関する第９実施例を示す断面図である。
【図１３】本発明に係るプラズマディスプレイパネルの電極構造に関する第１０実施例を示す断面図である。
【図１４Ａ】本発明に係るプラズマディスプレイパネルの電極構造に関する第１１実施例を示す断面図である。
【図１４Ｂ】本発明に係るプラズマディスプレイパネルの電極構造に関する第１１実施例を示す断面図である。
【図１５】１つのフレーム（frame）を複数のサブフィールド（subfield）に分けてプラズマディスプレイパネルを時分割駆動させる方法に関する一実施例を示すタイミング図である。
【図１６】プラズマディスプレイパネルを駆動させるための駆動信号に関する一実施例を示すタイミング図である。
【符号の説明】
【０１３７】
１００    上部パネル
１０４    上部誘電体層
１０５    保護膜層
１１０    下部パネル
１１１    下部基板
１１２    隔壁
１１３    アドレス電極
１１４    蛍光体
１１５    下部誘電体層
２００    上部パネル
２０４    上部誘電体層
２０５    保護膜層
２１０    下部パネル
２１１    下部基板
２１２ａ  隔壁
２１２ｂ  隔壁
２１３    アドレス電極
２１４    蛍光体
２１５    下部誘電体層
４００    上部パネル
４０４    上部誘電体層
４１０    下部パネル
４１１    下部基板
４１２    隔壁
４１３    アドレス電極
１０８０  隔壁
【図１】
2007324116.tif 000003
【図２Ａ】
2007324116.tif 000004
【図２Ｂ】
2007324116.tif 000005
【図３】
2007324116.tif 000006
【図４】
2007324116.tif 000007
【図５Ａ】
2007324116.tif 000008
【図５Ｂ】
2007324116.tif 000009
【図６】
2007324116.tif 000010
【図７】
2007324116.tif 000011
【図８】
2007324116.tif 000012
【図９】
2007324116.tif 000013
【図１０】
2007324116.tif 000014
【図１１】
2007324116.tif 000015
【図１２】
2007324116.tif 000016
【図１３】
2007324116.tif 000017
【図１４Ａ】
2007324116.tif 000018
【図１４Ｂ】
2007324116.tif 000019
【図１５】
2007324116.tif 000020
【図１６】
2007324116.tif 000021